(57)【要約】【課題】組立性を阻害せずに信号変換装置の小型化を図る。【解決手段】メディアコンバータ１０は、光ファイバーケーブルＦを収納するロアケース１１と光電変換及び電光変換を行う変換器３１ａを収めるメインケース３０を積層接合して構成される。ロアケース１１には、係合突起１３１、１３２を突設させてメインケース３０に設けた摺動孔に摺動可能に挿入して周縁で係合させる。ロアケース１１の開口にはシート４０を取り付けて、収納された光ファイバーケーブルＦが摺動途中にロアケース１１とメインケース３０との間に挟み込まれるのを防止する。シート４０には窪部４０ａを設けてロアケース１１に収納された光ファイバーケーブルＦの端部を引き出してコネクタＣをメインケース３０のレセプタクル３１ｅに接続する。【選択図】　　　　図１
2004063909.tif 000002
【特許請求の範囲】
【請求項１】
光信号線を収納する収納部と、光電変換及び／又は電光変換を行う変換器とを備える信号変換装置において、
開口が形成してあり、該開口の奥面に前記収納部及び複数の係合突起が設けてある第１筐体と、
前記変換器を収納しており、前記開口を被うように該第１筐体へ積層する積層面が形成してあり、該積層面に前記各係合突起が夫々摺動可能に挿入されると共に端縁で係合されるように複数の摺動孔が形成してある第２筐体と
を備えることを特徴とする信号変換装置。
【請求項２】
前記第１筐体は、係止突起を備え、
前記第２筐体は、
前記係合突起が前記摺動孔の摺動方向の両端を除いた中間に位置する状態で、前記係止突起と対向係止されるように突出してある被係止片を備える請求項１に記載の信号変換装置。
【請求項３】
前記第１筐体は、
前記奥面に設けてある案内突起を備え、
前記第２筐体は、
前記積層面に、前記案内突起が挿入されて前記各係合突起の摺動方向と平行な摺動が可能であるように形成してある案内孔を備える請求項１又は請求項２に記載の信号変換装置。
【請求項４】
前記第１筐体は、
前記積層面に当接するように突出してある支持ピンを備える請求項１乃至請求項３のいずれかに記載の信号変換装置。
【請求項５】
前記第１筐体は、
前記開口の内周面から突出してある突出片を備え、
前記第２筐体は、
前記係合突起が前記摺動孔の端縁で係合された状態で、前記突出片に先端が係止されるＬ字状片を備える請求項１乃至請求項４のいずれかに記載の信号変換装置。
【請求項６】
前記係合突起は、
突出側の端部に突出方向と直交する方向へ設けてある凸部を備え、
前記摺動孔は、
前記摺動方向に前記凸部を案内するテーパ状の案内縁を備える請求項１乃至請求項５のいずれかに記載の信号変換装置。
【請求項７】
前記第１筐体の開口に取り付けてあり、前記係合突起の挿通用の穴部及び光信号線の通過用の窪部が形成してあるシートを更に備える請求項１乃至請求項６のいずれかに記載の信号変換装置。
【発明の詳細な説明】
【０００１】
【発明の属する技術分野】
本発明は、内部に収納した光信号線を通じて伝送される光信号と、電気信号との変換を行う信号変換装置であって、特に、寸法を小型化した上で組立性を向上させた信号変換装置に関する。
【０００２】
【従来の技術】
従来、光信号と電気信号との信号変換可能にしている信号変換装置には種々のものが存在している。この信号変換装置には、光信号線である光ファイバーケーブル及び電気信号線であるＬＡＮケーブルが接続され、光信号及び電気信号の入出力を行っている。
【０００３】
図１２は、従来の一般的な信号変換装置１を示している。この信号変換装置１はロアケース３の内部３ａに光電変換及び電光変換を行う変換器４ａ等を実装した基板４、及び、光ファイバーケーブルＦの収納部５を並べた状態で配置すると共に、ロアケース３の開口をアッパーケース２で被うようにして、装置内の光ファイバーケーブルＦ及び変換器４ａ等を保護している。
【０００４】
光ファイバーケーブルＦは、一般に、種々の接続状況に対応できるように必要なケーブル長に対して余長を有しており、収納部５は光ファイバーケーブルＦの心線Ｆａの余長部分を巻回状態で収納している。なお、収納部５は、心線Ｆａに対する規定の曲率半径で巻回できるようにしている。また、基板４は、レセプタクル４ｂ、ＬＡＮケーブルＬを接続するＬＡＮポート４ｃ及び各種設定を行うディップスイッチ４ｄを設けており、レセプタクル４ｂには収納部５で巻回された心線Ｆａの端末のコネクタＣを接続している。
【０００５】
よって、信号変換装置１は、光ファイバーケーブルＦで伝送された光信号を変換器４ａで電気信号に変換し、変換した電気信号をＬＡＮケーブルＬで伝送すると共に、ＬＡＮケーブルＬで伝送された電気信号を変換器４ａで光信号に変換し、この光信号を光ファイバーケーブルＦで伝送している。なお、このような信号変換装置１には、建物の壁等に取り付けられる壁掛型と、所要の箇所に載置される据置型等がある。
【０００６】
【発明が解決しようとする課題】
信号変換装置１は、上述したように収納部５が規定の曲率半径を確保するために所要の大きさを確保する必要があり、このような大きさの収納部５を基板４と並べて配置するため、装置自体の寸法が大きくなる問題がある。また、このように装置自体の寸法が大きくなると、信号変換装置１の取扱性が悪化すると共に、取付箇所及び載置箇所等も制限されることが多くなる。
【０００７】
本発明は、斯かる問題に鑑みてなされたものであり、光ファイバーケーブルの収納部と変換器等を実装する基板とを積層配置にすることで、装置自体を小型化した信号変換装置を提供することを目的とする。
また、装置自体を積層配置により小型化しても、装置の良好な組立性及び装置内に引き込まれた光ファイバーケーブルの保護を充分に確保した信号変換装置を提供することを目的とする。
【０００８】
【課題を解決するための手段】
第１発明に係る信号変換装置は、光信号線を収納する収納部と、光電変換及び／又は電光変換を行う変換器とを備える信号変換装置において、開口が形成してあり、該開口の奥面に前記収納部及び複数の係合突起が設けてある第１筐体と、前記変換器を収納しており、前記開口を被うように該第１筐体へ積層する積層面が形成してあり、該積層面に前記各係合突起が夫々摺動可能に挿入されると共に端縁で係合されるように複数の摺動孔が形成してある第２筐体とを備えることを特徴とする。
【０００９】
第１発明にあっては、光信号線の収納部を設けた第１筐体に、変換器を収納する第２筐体を積層することで、装置自体の平面視方向の寸法を従来の約半分に抑えることができ、装置の取扱性等が向上し、取付箇所及び載置箇所等の自由度も高めることができる。また、第１筐体及び第２筐体は、係合突起を摺動孔に挿入して摺動させることにより積層状態で結合されるため、光信号線と変換器との接続性を維持した上で組立性も確保できる。
【００１０】
第２発明に係る信号変換装置は、前記第１筐体が、係止突起を備え、前記第２筐体は、前記係合突起が前記摺動孔の摺動方向の両端を除いた中間に位置する状態で、前記係止突起と対向係止されるように突出してある被係止片を備えることを特徴とする。
【００１１】
第２発明にあっては、第１筐体の係合突起が第２筐体の摺動孔の中間に位置する状態で、係止される係止突起及び被係止片を設けているので、第１筐体に対して第２筐体が完全に係合される前の摺動途中の段階で、一時的に両者を確実に仮係止できる。その結果、仮係止状態では両者の間には隙間が生じ、第１筐体及び第２筐体が積層構造であっても、前記隙間を通じて光信号線の整線等の作業が可能になり、光信号線の挟み込まれ等を防止できる。
【００１２】
なお、係合突起が摺動孔の端縁で係合される位置状態でも、被係止片と対向する位置に係合補強用の係止突起を設けるようにしてもよく、このような位置に係止突起を設けることで、係合突起の摺動孔との係合を補強でき、第１筐体と第２筐体との安定した積層結合状態を形成できる。
【００１３】
第３発明に係る信号変換装置は、前記第１筐体が、前記奥面に設けてある案内突起を備え、前記第２筐体は、前記積層面に、前記案内突起が挿入されて前記各係合突起の摺動方向と平行な摺動が可能であるように形成してある案内孔を備えることを特徴とする。
【００１４】
第３発明にあっては、第１筐体に案内突起、及び、第２筐体に案内孔を夫々設けているので、第１筐体に第２筐体を摺動させて結合する際に、第２筐体のこじれを防止でき、組付時に第２筐体の摺動方向を規制してスムーズな摺動を確保し、良好な組立作業を行うことができる。
【００１５】
第４発明に係る信号変換装置は、前記第１筐体が、前記積層面に当接するように突出してある支持ピンを備えることを特徴とする。
第４発明は、第１筐体に第２筐体を積層して摺動させる際、第２筐体の一部が第１筐体の開口内に落ち込むことが想定されることに対処したものである。よって、上述したように、第２筐体の積層面を当接支持する支持ピンを第１筐体に設けることで、積層する際、及び、摺動の際に第２筐体の落ち込みを防止でき、良好な組立性を確保できる。
【００１６】
第５発明に係る信号変換装置は、前記第１筐体が、前記開口の内周面から突出してある突出片を備え、前記第２筐体は、前記係合突起が前記摺動孔の端縁で係合された状態で、前記突出片に先端が係止されるＬ字状片を備えることを特徴とする。
【００１７】
第５発明にあっては、第１筐体に突出片、第２筐体にＬ字状片を夫々設けることで、係合された状態の第１筐体及び第２筐体の周囲が、突出片及びＬ字状片の係止により浮き上がるのを防止でき、小型化した信号変換装置の堅牢性も確保できる。
【００１８】
第６発明に係る信号変換装置は、前記係合突起が、突出側の端部に突出方向と直交する方向へ設けてある凸部を備え、前記摺動孔は、前記摺動方向に前記凸部を案内するテーパ状の案内縁を備えることを特徴とする。
【００１９】
第６発明にあっては、係合突起に設けた凸部を摺動孔の案内縁で案内することで、摺動を一段とスムーズにでき組立性を良好にできる。また、案内縁をテーパ状にすることで、凸部を徐々に締め付けて端縁で確実に係合突起を係合でき、組立時における係合突起の摺動孔に対する挿入から摺動を経て係合に至るまでの作業のフィーリングを良好にできると共に、作業性も向上できる。
【００２０】
第７発明に係る信号変換装置は、前記第１筐体の開口に取り付けてあり、前記係合突起の挿通用の穴部及び光信号線の通過用の窪部が形成してあるシートを更に備えることを特徴とする。
第７発明にあっては、第１筐体にシートを取り付けているので、第２筐体を摺動させる際に、第１筐体に収納されている光信号線が第２筐体と挟まって傷付けられるような事態を防止でき、安定した組立作業を行える。
【００２１】
また、シートには穴部が形成されているので、上述した係合突起及び摺動孔の摺動が阻害されることもない。また、シートに形成される窪部を通じて第１筐体に収納されている光信号線の端末を引き出すことで、シートが第１筐体に取り付けられていても、光信号線を第２筐体の変換器へスムーズに接続できる。
【００２２】
【発明の実施の形態】
以下、本発明をその実施の形態を示す図面に基づいて説明する。
図１は、本発明の実施の形態に係る信号変換装置であるメディアコンバータ１０の分解斜視図である。メディアコンバータ１０は、第１筐体に相当するロアケース１１にシート４０を取り付けて、第２筐体に相当するメインケース３０を積層した状態で結合する構成にしている。また、光信号線である光ファイバーケーブルＦは、被覆樹脂Ｆｂを除去して心線Ｆａが露出されると共に端末にはコネクタＣが取り付けられており、心線Ｆａの余長部分が巻回されてロアケース１１内に収納される。
【００２３】
ロアケース１１は、図２にも示すように、薄箱形状であり、周囲に周壁１１ａを立設し、周壁１１ａで囲まれることにより形成される開口１１ｂの奥面となる底面部１１ｃに光ファイバーケーブルＦを巻回する収納部１２を設けている。この収納部１２は、底面部１１ｃより立設して平面視で楕円状となる巻回壁１２ａで形成されており、また、巻回壁１２ａは上端の数カ所から水平方向にフラップ１２ｂを突設させて、巻回壁１２ａに巻回した光ファイバーケーブルＦ及び心線Ｆａが抜け出ないようにしている。
【００２４】
また、底面部１１ｃの楕円状の巻回壁１２ａの内部には、２つの係合突起１３１、１３２をロアケース１１の長辺方向に間隔を隔てて突設している。各係合突起１３１、１３２は突出側の端部に、突出方向と直交する向きに突出する凸部に相当する板状の係合頭部１３１ａ、１３２ａを夫々設けている。また、一方の係合突起１３１からロアケース１１の短辺方向に間隔を隔てた箇所には、底面部１１ｃより板状の案内突起１４を突設している。さらに、この案内突起１４からロアケース１１の長手方向に間隔を隔てた箇所の底面部１１ｃからは、柱状で周壁１１ａと同等の高さの支持ピン１５を突出している。
【００２５】
また、ロアケース１１は、周壁１１ａの長辺側の略対角付近に係止突起として仮係止突起１６１、１６３及び本係止突起１６２、１６４を底面部１１ｃより突設している。仮係止突起１６１、１６３及び本係止突起１６２、１６４は板状であり、周壁１１ａと対向する面には、図６（ａ）〜（ｃ）等にも示すように係止溝１６１ａ〜１６４ａを夫々凹設している。
【００２６】
各対角付近における仮係止突起１６１と本係止突起１６２との間隔、及び、仮係止突起１６３と本係止突起１６４との間隔は、後述する図３に示すメインケース３０の摺動孔３４１、３４２における孔長さより短い寸法にしている。さらに、また、ロアケース１１は、図８にも示すように、三つの角部周辺において周壁１１ａの内周面から板状の突出片１７１、１７２、１７３を突出している。
【００２７】
なお、ロアケース１１は、図２に示すように周壁１１ａの一方の対角箇所には光ファイバーケーブルＦの外引込部１８１、１８２を設けると共に、底面部１１ｃの一部には穴状の内引込部１８３を設けており、これら各引込部１８１〜１８３には、光ファイバーケーブルＦの被覆樹脂Ｆｂを保持する保持部１９１〜１９３を設けている。また、底面部１１ｃの略中央部分には、ロアケース１１を壁等に取り付ける際のネジを挿通するネジ穴２０１、２０２を設けると共に周壁１１ａの短辺の上端には、多数のシート止め２１を開口１１ｂ側へ突設させている。
【００２８】
一方、図１に示すメインケース３０は、箱状の一角部を切除して凹部３０ｃを設けた形状にしており、アッパーカバー３０ａ及びロアプレート３０ｂで構成される内部に、変換器３１ａ、ディップスイッチ３１ｂ、ＬＡＮポート３１ｃ及びプラグ接続部３１ｄを実装した基板３１を収納している。
【００２９】
変換器３１ａは、光電変換及び電光変換を行うものであり、光ファイバーケーブルＦの端末のコネクタＣを接続するレセプタクル３１ｅと繋がっている。また、このレセプタクル３１ｅはメインケース３０の凹部３０ｃの一面３０ｄに位置させている。なお、変換器３１ａは光電変換又は電光変換のいずれか一方のみを行うものであってもよい。
【００３０】
なお、メインケース３０の凹部３０ｃには、別体のカバー３２を取り付けるようにしており、このカバー３２でレセプタクル３１ｅに接続される光ファイバーケーブルＦ及びコネクタＣを保護している。また、カバー３２の短辺側の下端からはケーブル抑え片３２ａを突設しており、図９に示すように、ロアケース１１の引込部１８１から内部に引き込まれている光ファイバーケーブルＦの被覆樹脂Ｆｂをケーブル抑え片３２ａで引込部１８１内へ押し込むようにしている。
【００３１】
図３は、メインケース３０のロアプレート３０ｂ側の斜視図である。メインケース３０自体は、凹部３０ｃに関係しない長辺３０ｇ及び短辺３０ｈをロアケース１１と同等の寸法にしており、図中におけるロアプレート３０ｂの上面をロアケース１１へ積層される側の積層面３０ｆにしている。
【００３２】
積層面３０ｆには、直方体状の凸部３３１、３３２が設けられると共に、この凸部３３１、３３２に摺動孔３４１、３４２が形成されている。摺動孔３４１、３４２は、一方の端縁を係合端縁３４１ａ、３４２ａとしており、メインケース３０及びロアケース１１をずれないように重ねた状態で、各係合突起１３１、１３２と係合端縁３４１ａ、３４２ａが一致する位置に形成されている。係合端縁３４１ａ、３４２ａから長手方向へ離れた位置には、図２に示す係合突起１３１、１３２の係合頭部１３１ａ、１３２ａが挿入される大きさの挿入部３４１ｂ、３４２ｂが形成されている。
【００３３】
また、摺動孔３４１、３４２は、挿入部３４１ｂ、３４２ｂから係合端縁３４１ａ、３４２ａへ一度テーパ状に幅が狭くなり、狭くなった孔幅を係合突起１３１、１３２の幅に応じた寸法にして、係合突起１３１、１３２が挿入部３４１ｂ、３４２ｂから係合端縁３４１ａ、３４２ａへスムーズに摺動できるようにしている。
【００３４】
図４は、係合突起１３１が摺動孔３４１の挿入部３４１ｂに挿入されて図３中のＡ−Ａ線まで摺動した状態の概略断面を示しており、摺動孔３４１は、孔幅が係合突起１３１と応じた寸法の箇所には係合頭部１３１ａを係合端縁３４１ａ側へ案内する案内縁３４１ｃを設けている。案内縁３４１ｃは、図５（ａ）に示すように、挿入部３４１ｂから係合端縁３４１ａ側へ上昇するテーパ状に形成してあり、係合端縁３４１ａでは係合突起１３１の突設高さに応じた寸法にして、係合頭部１３１ａの下面と係合端縁３４１ａの上面が係合するようにしている。なお、上述した説明は、係合突起１３１及び摺動孔３４１を例にして説明したが、係合突起１３２及び摺動孔３４２でも同様の構成にしている。
【００３５】
また、図３に示すように、積層面３０ｆには、凹部３０ｃの近傍及び一つの角部近傍に被係止片３５１、３５２を設けている。図６（ａ）〜（ｃ）に示すように、各被係止片３５１、３５２は、仮係止突起１６１、１６３及び本係止突起１６２、１６４の各係止溝１６１ａ〜１６４ａと対向係止されるように突出部３５１ａ、３５２ａを夫々設けている。
【００３６】
上述した各被係止片３５１、３５２は、係合突起１３１、１３２が摺動孔３４１、３４２の係合端縁３４１ａ、３４２ａ及び挿入部３４１ｂ、３４２ｂを除いた摺動中の中間位置に位置する状態で、図６（ｂ）に示すように、仮係止突起１６１、１６３と各係止溝１６１ａ、１６３ａと突出部３５１ａ、３５２ａが係止するような位置に設けてある。
【００３７】
なお、各被係止片３５１、３５２を上述した位置に設けることで、係合突起１３１、１３２が摺動孔３４１、３４２の挿入部３４１ｂ、３４２ｂに位置する場合は、図６（ａ）の示す位置になる。また、係合突起１３１、１３２が摺動孔３４１、３４２の係合端縁３４１ａ、３４２ａで係合される場合、図６（ｃ）に示すように、本係止突起１６２、１６４と各被係止片３５１、３５２が係止するようになる。
【００３８】
さらに、図３に示す積層面３０ｆには、図２等に示した案内突起１４が摺動可能に挿入される案内孔３６が形成されている。案内孔３６は案内突起１４の幅に応じた孔幅を有し、上述した摺動孔３４１、３４２と平行で同等な長さを有している。また、案内孔３６は、各係合突起１３１、１３２が摺動孔３４１、３４２の係合端縁３４１ａ、３４２ａで係合された場合、案内突起１４が一端部３６ａに位置し、係合突起１３１、１３２が摺動孔３４１、３４２の挿入部３４１ｂ、３４２ｂに挿入された場合は、案内突起１４が他端部３６ｂに位置するように配置されている。
【００３９】
さらに、また、積層面３０ｆの短辺３０ｈの両端付近には、Ｌ字状片３７１、３７２が設けてある。具体的には各Ｌ字状片３７１、３７２は、各係合突起１３１、１３２が摺動孔３４１、３４２の係合端縁３４１ａ、３４２ａで係合された場合、図７に示すように、先端３７１ａ、３７２ａがロアケース１１の周壁１１ａに設けられた突出片１７１、１７２と係止する位置に設けられている。
【００４０】
なお、図３に示すように、上述した被係止片３５２の端部にも各Ｌ字状片３７１、３７２の先端３７１ａ、３７２ａと同様な先端部３７３ａが設けてあり、この先端部３７３ａも各係合突起１３１、１３２が係合端縁３４１ａ、３４２ａで係合された場合に、ロアケース１１の周壁１１ａの突出片１７３と係止される。また、積層面３０ｆの短辺３０ｈの一端部付近には、図１のカバー３２のケーブル抑え片３２ａと同様の抑え片３８が突出しており、ロアケース１１の別の引込部１８２から引き込まれる光ファイバーケーブルＦを押し込むようにしている。
【００４１】
さらに、また、図１に示すように、メインケース３０とロアケース１１との間にはシート４０が位置しており、シート４０は合成樹脂製の所要の剛性を有するフィルム状のものであり、平面視でメインケース３０と略同等の形状に形成されている。
【００４２】
即ち、メインケース３０の凹部３０ｃと対応する箇所に光ファイバーケーブルＦの通過用に切り欠いた窪部４０ａを形成している。また、ロアケース１１の係合突起１３１、１３２及びメインケース３０の凸部３３１、３３２の挿通用の穴部４０ｂを設けている。さらに、ロアケース１１の案内突起１４と対向する箇所には角穴４０ｃ、支持ピン１５と対向する箇所には丸穴４０ｄを設けている。
【００４３】
次に、メディアコンバータ１０を組み立てる手順を説明する。
先ず、図１に示すように接続対象の光ファイバーケーブルＦの端末側の被覆樹脂Ｆｂを除去して心線Ｆａを露出させ端末にコネクタＣを取り付けてから、光ファイバーケーブルＦを、例えば、ロアケース１１の引込部１８１からケース内部に引き込む。引き込んだ心線Ｆａの余長部分を収納部１２に巻回させて余長を処理する。この状態でネジ穴２０１、２０２にネジを挿通し、メディアコンバータ１０を取り付ける壁等に、先にロアケース１１のみをネジの締結により取り付ける。
【００４４】
このように取り付けたロアケース１１の開口１１ｂに、図８に示すように、シート４０をシート止め２１の下側に嵌め込んで取り付けている。シート４０を取り付けることで、収納部１２に巻回されている心線Ｆａは開口１１ｂから飛び出ることは無くなり、また、レセプタクル３１ｅに接続する必要のあるコネクタＣのみは窪部４０ａを通過させて開口１１ｂから取り出している。
【００４５】
このようにシート４０を取り付けた状態で、図１０（ａ）に示すように、メインケース３０をロアケース１１の開口１１ｂに被せて、係合突起１３１、１３２を摺動孔３４１、３４２の挿入部３４１ｂ、３４２ｂに挿入する。なお、このように挿入することで、案内突起１４も案内孔３６の他端部３６ｂで挿入され、メインケース３０の積層面３０ｆの被係止片３５１、３５２は、図６（ａ）に示すように、仮係止突起１６１、１６３と未だ対向していない位置関係になる。
【００４６】
次に、メインケース３０を図１０（ａ）に示すようにハッチング矢印方向に摺動させる。この際、係合突起１３１、１３２が摺動孔３４１、３４２に挿入されているのに加えて、案内突起１４が案内孔３６内に挿入されているため、メインケース３０を図中の左右の白矢印方向にこじることなくスムーズに摺動できる。また、摺動中は、図１１に示すようにロアケース１１の支持ピン１５が、周壁１１ａに支持されないメインケース３０の積層面３０ｆに当接しているため、メインケース３０が図中の白矢印方向へ落ち込まず、この点においてもスムーズな摺動が確保されている。
【００４７】
また、この摺動の際、係合突起１３１は、図５（ａ）の挿入部３４１ｂの位置から図５（ｂ）の摺動途中の位置へ案内縁３４１ｃにより係合頭部１３１ａが案内される。このような案内は、もう一方の摺動孔３４２でも係合突起１３２に対して同様に行われる。
【００４８】
また、上述したように摺動されて、メインケース３０は、一旦摺動途中で、図６（ｂ）に示す被係止片３５１、３５２と仮係止突起１６１、１６３との係止により仮係止状態になる。このように仮係止されることで、シート４０の窪部４０ａから引き出される光ファイバーケーブルＦの引出具合等を整えてメインケース３０に挟まれないようにする。
【００４９】
上記仮係止状態からメインケース３０を摺動させて、図１０（ｂ）に示すようにメインケース３０をロアケース１１に完全に重なるようにして積層結合させる。この状態では、図５（ｃ）に示すように、係合突起１３１、１３２は、係合頭部１３１ａ（１３２ａ）が係合端縁３４１ａ（３４２ａ）と係合すると共に、図６（ｃ）に示すように、被係止片３５１、３５２が本係止突起１６２、１６４と係止され、強固な結合が行われる。
【００５０】
さらに、このような結合状態では、図７に示すように、メインケース３０のＬ字状片３７１、３７２の先端３７１ａ、３７２ａが突出片１７１、１７２と係止すると共に被係止片３５２の先端部３７３ａが突出片１７３と係止するため、メインケース３０の周囲が図中の白矢印方向に浮き上がるようなことも防止されている。
【００５１】
上述したようにメインケース３０及びロアケース１１を結合した後は、図１に示すように、コネクタＣをレセプタクル３１ｅに接続してから、カバー３２をメインケース３０の凹部３０ｃに取り付けて組立を完成している。また、完成したメディアコンバータ１０のＬＡＮポート３１ｃにはＬＡＮケーブル５０のコネクタ５０ａを接続すると共に、給電プラグ３１ｄには電源アダプタのプラグ５１を接続して、メディアコンバータ１０を作動させる。
【００５２】
【発明の効果】
以上に詳述した如く、第１発明にあっては、光信号線を収納する第１筐体に、変換器を収める第２筐体を積層することで、良好な組立性を確保して装置自体を小型化できる。
第２発明にあっては、第１筐体に対して第２筐体が摺動途中で、仮係止でき、光信号線の挟み込まれ等を確実に防止できる。
【００５３】
第３発明にあっては、第１筐体に案内突起、及び、第２筐体に案内孔を夫々設けることで、摺動の際に第２筐体がこじれるのを防止でき、良好な摺動性を確保できる。
第４発明にあっては、摺動中に第２筐体の一部が第１筐体の開口内に落ち込むことを防止してスムーズな摺動を維持できる。
【００５４】
第５発明にあっては、第１筐体に突出片、第２筐体にＬ字状片を夫々設けることで、係合された第２筐体の周囲が、第１筐体より浮き上がるのを防止できる。第６発明にあっては、係合突起に設けた凸部を摺動孔の案内縁で案内して、一段とスムーズな摺動性を確保できる。
第７発明にあっては、第１筐体にシートを取り付けることで、摺動中に光信号線が第２筐体と挟まるような事態を未然に防止できる。
【図面の簡単な説明】
【図１】本発明の実施の形態に係るメディアコンバータの分解斜視図である。
【図２】ロアケースの斜視図である。
【図３】メインケースのロアプレート側からの斜視図である。
【図４】係合突起が挿入された状態の図３におけるＡ−Ａ線の概略断面図である。
【図５】図３におけるＢ−Ｂ線の種々の状態の概略断面図であり、（ａ）は係合突起が挿入された状態の図、（ｂ）は係合突起が摺動途中の状態の図、（ｃ）は係合突起が係合された状態の図である。
【図６】（ａ）（ｂ）（ｃ）は、係止突起と被係止片の位置関係を示す概略図である。
【図７】Ｌ字状片と突出片の係止状態を示す概略図である。
【図８】シートを開口に取り付けた状態のロアケースの概略平面図である。
【図９】カバーのケーブル抑え片で光ファイバーケーブルを引込部へ押し込む状態を示す概略図である。
【図１０】（ａ）はメインケースをロアケースに被せた状態の概略平面図、（ｂ）はメインケース及びロアケースを積層結合させた状態の概略平面図である。
【図１１】支持ピンでメインケースを支持している状態の要部断面図である。
【図１２】従来のメディアコンバータの分解斜視図である。
【符号の説明】
１０　メディアコンバータ
１１　ロアケース
１２　収納部
１４　案内突起
１５　支持ピン
３０　メインケース
３１ａ　変換器
３２　カバー
３６　案内孔
４０　シート
４０ａ　窪部
４０ｂ　穴部
１３１、１３２　係合突起
１３１ａ、１３２ａ　係合頭部
１６１、１６３　仮係止突起
１６２、１６４　本係止突起
１７１〜１７３　突出片
３４１、３４２　摺動孔
３４１ａ、３４２ａ　係合端縁
３５１、３５２　被係止片
３７１、３７２　Ｌ字状片
Ｆ　光ファイバーケーブル
Ｆａ　心線
Ｃ　コネクタ
【図１】
2004063909.tif 000003
【図２】
2004063909.tif 000004
【図３】
2004063909.tif 000005
【図４】
2004063909.tif 000006
【図５】
2004063909.tif 000007
【図６】
2004063909.tif 000008
【図７】
2004063909.tif 000009
【図８】
2004063909.tif 000010
【図９】
2004063909.tif 000011
【図１０】
2004063909.tif 000012
【図１１】
2004063909.tif 000013
【図１２】
2004063909.tif 000014